(57)【特許請求の範囲】
【請求項１】
ユーザからの指示に従って番組に関する情報を表示する電子プログラムガイド表示装置において、
番組の属性を表すカテゴリーの一覧表と、放送チャンネルと放送時間の２次元の配置構成からなる番組表とを表示する番組表表示手段と、
表示された前記カテゴリーの一覧表からユーザの指示に従って１つのカテゴリーを選択するカテゴリー選択手段と、
前記カテゴリー選択手段により１つのカテゴリーが選択された場合に、前記２次元の配置構成の前記番組表の欄の配置を維持しつつ、前記番組表のうちの前記選択された１つのカテゴリーに属する番組の欄には情報を表示し、前記選択された１つのカテゴリーに属さない番組の欄には情報を表示しないように制御する制御手段とを、
有することを特徴とする電子プログラムガイド表示装置。
【請求項２】
ユーザからの指示に従って番組に関する情報を表示する電子プログラムガイド表示装置において、
番組の属性を表すカテゴリーの一覧表と、放送チャンネルと放送時間の２次元の配置構成からなる番組表とを表示する番組表表示手段と、
表示された前記カテゴリーの一覧表からユーザの指示に従って１つのカテゴリーを選択するカテゴリー選択手段と、
前記カテゴリー選択手段により１つのカテゴリーが選択された場合に、前記２次元の配置構成の前記番組表の欄の配置を維持しつつ、前記番組表のうちの前記選択された１つのカテゴリーに属する番組の欄の情報のみを表示し、他の前記選択された１つのカテゴリーに属さない番組の欄の情報は表示しないように制御する制御手段と、
表示された前記番組表の中からユーザの指示に従って選択された１つのカテゴリーに属する番組の表示位置部分を強調表示する強調表示手段とを、
有することを特徴とする電子プログラムガイド表示装置。
【請求項３】
ユーザからの指示に従って番組に関する情報を表示する電子プログラムガイド表示装置において、
番組の属性を表すカテゴリーの一覧表と、放送チャンネルと放送時間の２次元の配置構成からなる番組表とを表示する番組表表示手段と、
表示された前記カテゴリーの一覧表からユーザの指示に従って１つのカテゴリーを選択するカテゴリー選択手段と、
前記カテゴリー選択手段により１つのカテゴリーが選択された場合に、前記２次元の配置構成の前記番組表の欄の配置を維持しつつ、前記番組表のうちの前記選択された１つのカテゴリーに属する番組の欄の情報のみを表示し、他の前記選択された１つのカテゴリーに属さない番組の欄の情報は表示しないように制御する制御手段と、
表示された前記番組表の中からユーザの指示に従って選択された１つのカテゴリーに属する番組に関する詳細な情報があるときは、この詳細な情報を表示する詳細情報表示手段とを、
有することを特徴とする電子プログラムガイド表示装置。
【請求項４】
ユーザからの指示に従って番組に関する情報を表示する電子プログラムガイド表示方法において、
番組の属性を表すカテゴリーの一覧表と、放送チャンネルと放送時間の２次元の配置構成からなる番組表とを表示する番組表表示ステップと、
表示された前記カテゴリーの一覧表からユーザの指示に従って１つのカテゴリーを選択するカテゴリー選択ステップと、
前記カテゴリー選択ステップにより１つのカテゴリーが選択された場合に、前記２次元の配置構成の前記番組表の欄の配置を維持しつつ、前記番組表のうちの前記選択された１つのカテゴリーに属する番組の欄には情報を表示し、前記選択された１つのカテゴリーに属さない番組の欄には情報を表示しないように制御する制御ステップとを、
有することを特徴とする電子プログラムガイド表示方法。
【請求項５】
ユーザからの指示に従って番組に関する情報を表示する電子プログラムガイド表示方法において、
番組の属性を表すカテゴリーの一覧表と、放送チャンネルと放送時間の２次元の配置構成からなる番組表とを表示する番組表表示ステップと、
表示された前記カテゴリーの一覧表からユーザの指示に従って１つのカテゴリーを選択するカテゴリー選択ステップと、
前記カテゴリー選択ステップにより１つのカテゴリーが選択された場合に、前記２次元の配置構成の前記番組表の欄の配置を維持しつつ、前記番組表のうちの前記選択された１つのカテゴリーに属する番組の欄の情報のみを表示し、他の前記選択された１つのカテゴリーに属さない番組の欄の情報は表示しないように制御する制御ステップと、
表示された前記番組表の中からユーザの指示に従って選択された１つのカテゴリーに属する番組に関する詳細な情報があるときは、この詳細な情報を表示する詳細情報表示ステップとを、
有することを特徴とする電子プログラムガイド表示方法。
【発明の詳細な説明】
【０００１】
【発明の属する技術分野】
本発明は、テレビジョン受像機に関し、特にテレビジョン受像機における電子プログラムガイド表示装置及び電子プログラムガイド表示方法に関する。
【０００２】
【従来の技術】
テレビジョン受像機による放送の受信は、従来からの、いわゆる地上波による放送のみならず、ＣＡＴＶ（ケーブルテレビ）や衛星放送などと多様化している。かかる多様化した放送方式に伴い、その番組の案内は新聞、雑誌などの紙を媒体としたものだけでは、希望する番組を探すのに時間がかかる、リアルタイムな番組情報を入手することができないなどの理由から、かかるペーパーによる番組情報とは別に、放送局から送信した番組情報であるＥＰＧ（電子プログラムガイド）をテレビジョン受像機の画面に表示する方式、いわゆるＯＳＤ（オンスクリーン表示）が実用化され始めている。
【０００３】
従来のＥＰＧのオンスクリーン表示では、例えば図５に示すように番組がチャンネル毎にかつ時間帯毎に表となって２次元的に表示され、この例では横軸に時間、縦軸にチャンネルが示されている。なお、全てのチャンネルの全ての時間帯の番組情報を１つの画面に同時に表示することは、表示情報の量と画面の表示可能文字数との関係で不可能であり、よって表示された表を左右、上下にスクロールする構成が一般的である。図６はかかる従来のオンスクリーン表示で、ユーザが選択した特定のカテゴリーの番組情報を時間順に表示した状態を示している。
【０００４】
【発明が解決しようとする課題】
かかるＥＰＧのオンスクリーン表示では、時間、チャンネル、カテゴリーの３者は相互にリンクして表示されるべき性格であるが、２次元的に配置された表形式の表示では、これら３者中、同時には２者のみを表示することができるに過ぎない。よって、従来の方式では、目的とする番組情報と不要な番組情報が同時に表示されている状態から、目的とする番組情報を目で探して選択する必要があり、パターン認識的理解が困難であり希望番組の選択に手間取るという問題があった。
【０００５】
そこで本発明は、放送に付帯して伝送される電子番組情報を視聴者（ユーザ）に提供するとき、より容易にかつ、直感的に目的とする番組情報をサーチ、理解が可能な電子プログラムガイド表示装置及び電子プログラムガイド表示方法を提供することを目的とする。
【０００６】
【課題を解決するための手段】
上記目的を達成するため、本発明では番組の属性を表すカテゴリーの一覧表と、放送チャンネルと放送時間の２次元の配置構成からなる番組表とを表示し、表示された番組の属性を表すカテゴリーの一覧表から１つのカテゴリーを選択できるようにし、１つのカテゴリーが選択された場合に、２次元の配置構成の番組表の欄の配置を維持しつつ、番組表のうち選択されたカテゴリーに属する番組の欄には情報を表示し、選択されたカテゴリーに属さない番組の欄には情報を表示しないようにしている。
【０００７】
すなわち本発明によれば、ユーザからの指示に従って番組に関する情報を表示する電子プログラムガイド表示装置において、
番組の属性を表すカテゴリーの一覧表と、放送チャンネルと放送時間の２次元の配置構成からなる番組表とを表示する番組表表示手段と、
表示された前記カテゴリーの一覧表からユーザの指示に従って１つのカテゴリーを選択するカテゴリー選択手段と、
前記カテゴリー選択手段により１つのカテゴリーが選択された場合に、前記２次元の配置構成の前記番組表の欄の配置を維持しつつ、前記番組表のうちの前記選択された１つのカテゴリーに属する番組の欄には情報を表示し、前記選択された１つのカテゴリーに属さない番組の欄には情報を表示しないように制御する制御手段とを、
有することを特徴とする電子プログラムガイド表示装置が提供される。
【０００８】
また本発明によれば、ユーザからの指示に従って番組に関する情報を表示する電子プログラムガイド表示方法において、
番組の属性を表すカテゴリーの一覧表と、放送チャンネルと放送時間の２次元の配置構成からなる番組表とを表示する番組表表示ステップと、
表示された前記カテゴリーの一覧表からユーザの指示に従って１つのカテゴリーを選択するカテゴリー選択ステップと、
前記カテゴリー選択ステップにより１つのカテゴリーが選択された場合に、前記２次元の配置構成の前記番組表の欄の配置を維持しつつ、前記番組表のうちの前記選択された１つのカテゴリーに属する番組の欄には情報を表示し、前記選択された１つのカテゴリーに属さない番組の欄には情報を表示しないように制御する制御ステップとを、
有することを特徴とする電子プログラムガイド表示方法が提供される。
【０００９】
また本発明によれば、ユーザからの指示に従って番組に関する情報を表示する電子プログラムガイド表示装置において、
番組の属性を表すカテゴリーの一覧表と、放送チャンネルと放送時間の２次元の配置構成からなる番組表とを表示する番組表表示手段と、
表示された前記カテゴリーの一覧表からユーザの指示に従って１つのカテゴリーを選択するカテゴリー選択手段と、
前記カテゴリー選択手段により１つのカテゴリーが選択された場合に、前記２次元の配置構成の前記番組表の欄の配置を維持しつつ、前記番組表のうちの前記選択された１つのカテゴリーに属する番組の欄の情報のみを表示し、他の前記選択された１つのカテゴリーに属さない番組の欄の情報は表示しないように制御する制御手段と、
表示された前記番組表の中からユーザの指示に従って選択された１つのカテゴリーに属する番組の表示位置部分を強調表示する強調表示手段とを、
有することを特徴とする電子プログラムガイド表示装置が提供される。
【００１０】
【発明の実施の形態】
以下、図面を参照して本発明の実施の形態について好ましい実施例とともに説明する。図１は本発明に係る電子プログラムガイド表示装置の好ましい実施例を示すブロック図であり、テレビジョン受像機に適用している様子を示している。ブロック１０は本発明の電子プログラムガイド表示装置を含むテレビジョン受像機の主要部であり、アンテナ１２で受信した高周波信号を入力端子１４を介して受信チューナ１６に取り込む。受信チューナ１６で選択された所定チャンネルの受信信号は信号処理回路１８に供給され、復調その他の通常のテレビジョン受像機における信号処理が行われる。
【００１１】
信号処理回路１８の出力信号はＯＳＤ（オンスクリーン表示）制御回路２０を経由して映像信号出力端子２２から出力される。なお、音声信号も信号処理回路１８にて分離されるが、ここでは図示省略している。制御回路２６は図示省略のＣＰＵ（中央演算処理装置）、ＲＯＭなどを有していて、インターフェース２８を介して操作パネル３２及びリモコン３４と受光部３０を介して入力されるユーザからの諸指示に応答して、受信チューナ１６、信号処理回路１８、ＯＳＤ制御回路２０を制御するとともに必要に応じて信号の授受を行う。なお、制御回路２６にはメモリ２４が接続され、放送局から受信された番組情報が記憶され、必要に応じて読み出される。なお、ＯＳＤ制御回路２０と制御回路２６の組み合わせで、請求項１〜３に記載した各構成要素を全て構成している。
【００１２】
次に、図１の実施例の動作を図２のフローチャートに沿って説明する。図２は制御回路２６の主要構成要素であるＣＰＵの動作手順を示している。このフローチャートには示していないが、電源がオンとなると、自動的に受信チューナ１６を制御して、全チャンネルの放送を受信し、受信波に含まれているＥＰＧ情報を読み込み、メモリ２４に記憶しておく。なお、リモコン３４には、ＥＰＧを表示させるためのＥＰＧ表示ボタン、後述するマーカーボタンと、カーソルボタンと、ＧＯボタンがある。まずＥＰＧ表示ボタンが押されると、ステップＳ１がＹＥＳとなり、次のステップＳ２にてメモリ２４からあらかじめ記憶されているＥＰＧのデータを読み出し、図３に示すような番組情報を表示する。
【００１３】
次に、ステップＳ３にてリモコン３４のマーカーボタンが押されたか否かを判断し、押されていると、図３に人の手の形で示すマーカー４０を１つ下に移動させる。マーカー４０はカテゴリー表示部４２に表示された複数のカテゴリーの１つを指示するものである。ステップＳ４の終了後又は、ステップＳ３でＮＯのとき、ステップＳ５にてカテゴリーに応じた番組情報を番組情報表示部４４に表示する。番組情報表示部４４は横軸が時間帯、縦軸がチャンネルとなって、対応する番組情報が表示されている。表示されている番組情報中、太線で囲まれた強調表示部４６がカーソルであり、これはリモコン３４のカーソルボタンで１つの番組を選択するためのものである。すなわち、左右、上下に移動させることのできるカーソルボタンにより強調表示部４６を移動させて、ＧＯボタンを押すことにより番組が選択される。
【００１４】
ステップＳ６ではカーソルが操作されてその情報が入力されたか否かを判断する。ＹＥＳのときは、ステップＳ７で指示に従って強調表示部４６を画面上で移動させる。ステップＳ７の終了後又は、ステップＳ６でＮＯのとき、ステップＳ８にてカーソルのある位置の番組情報の詳細な情報を詳細情報表示部４８に表示する（図３、図４参照）。ステップＳ９ではリモコン３４のＧＯボタンが押されたか否かを判断し、押されているときはステップＳ１０でその番組のチャンネルを選択するよう受信チューナ１６を制御する。同時にプログラムガイド表示を終了し、通常の放送の受信画面を表示する。所定時間内にＧＯボタンが押されないときは、ステップＳ１に戻る。
【００１５】
図３と図４の比較からわかるように、図３ではカテゴリー中の「スポーツ全般」が選択され、それに応じてこの例では４つの番組情報が表示され、図４では「スポーツ全般」の下位概念である「野球」が選択されているので、それに応じてこの例では１つの番組情報が表示されている。また、従来例を示す図５では全カテゴリーの番組情報が混在して表示されているのに対して、図３では選択された上位カテゴリーとその下位カテゴリーとが表示されたカテゴリー表示部４２と共に、選択された上位カテゴリーに属する番組情報のみがチャンネルと時間帯別に表示される。さらに図４では複数の下位カテゴリーから選択された下位カテゴリーが、前記複数の下位カテゴリー中にマーキングされて表示されるカテゴリー表示部４２と共に、下位概念のカテゴリーに属する番組情報のみがチャンネルと時間帯別に表示される。したがって、図６のようにカテゴリー別の表示であっても単にチャンネルと時間帯と番組情報を羅列したに過ぎないものと比較すると、図３、図４の表示は視覚的に認識しやすく、番組選択が容易である。
【００１６】
なお、上記実施例ではテレビジョン受像機の電源がオンとなったときに、すべてのチャンネルの番組情報を自動的に読み込むようになっているが、必ずしも電源オン時である必要はなく、ＣＰＵの動作に余裕のあるときなどに割込み処理を行うようにしてもよい。また、地上波、衛星放送、ＣＡＴＶなど複数のメディアを介して受信される場合、メディア別に番組を表示したり、全メディアの番組を一括して表示するようにしたり、あるいはこの２つの表示モードを切り換え可能とすることもできる。
【００１７】
【発明の効果】
以上説明したように本発明によれば、放送に付帯して伝送される電子番組情報を視聴者（ユーザ）に提供するとき、番組の属性を表すカテゴリーの一覧表と、放送チャンネルと放送時間の２次元の配置構成からなる番組表とを表示し、表示された番組のカテゴリーの一覧表から１つのカテゴリーを選択できるようにし、１つのカテゴリーが選択された場合、２次元の配置構成の番組表の欄の配置を維持しつつ、番組表のうち選択されたカテゴリーに属する番組の欄には情報を表示し、選択されたカテゴリーに属さない番組の欄には情報を表示しないようにしているので、より容易にかつ、直感的に目的とする番組情報をサーチ、理解が可能である。このように本発明では目的のカテゴリーに属する番組の分布状況がパターン認識的に容易に把握、理解でき、番組選択の操作性が向上する。
【図面の簡単な説明】
【図１】本発明に係る電子プログラムガイド表示装置の好ましい実施例を模式的に示すブロック図である。
【図２】図１における動作を説明するフローチャートである。
【図３】本発明によりテレビジョン受像機の画面に表示されるＥＰＧの一例である。
【図４】本発明によりテレビジョン受像機の画面に表示されるＥＰＧの他の例である。
【図５】従来例によりテレビジョン受像機の画面に表示されるＥＰＧの一例である。
【図６】従来例によりテレビジョン受像機の画面に表示されるＥＰＧの他の例である。
【符号の説明】
１０  本発明の電子プログラムガイド表示装置を含むテレビジョン受像機の主要部
１２  アンテナ
１４  入力端子
１６  受信チューナ
１８  信号処理回路
２０  ＯＳＤ制御回路
２２  映像信号出力端子
２４  メモリ
２６  制御回路
２８  インターフェース
３０  受光部
３２  操作パネル
３４  リモコン
４０  マーカー
４２  カテゴリー表示部
４４  番組情報表示部
４６  強調表示部（カーソル）
４８  詳細情報表示部
【図１】
0003783307.tif 000002
【図２】
0003783307.tif 000003
【図３】
0003783307.tif 000004
【図４】
0003783307.tif 000005
【図５】
0003783307.tif 000006
【図６】
0003783307.tif 000007